(57)【要約】  本願発明による口腔内撮影補助具１は、受像部と、表示部４０と、保定基板１０とを備える。受像部は、放射線により形成される被写体像を撮像して画像を出力する。表示部４０は、受像部が出力した画像を表示する。保定基板１０は、受像部及び表示部を支持する。
2010140491.tif 000002
【特許請求の範囲】
【請求項１】
放射線により形成される被写体像を撮像して画像信号を出力する受像部と、
前記受像部が出力した画像信号に基づいて画像を表示する表示部と、
前記受像部及び表示部を支持する保定基板とを備える口腔内撮影補助具。
【請求項２】
前記保定基板は、撮影対象歯牙又は他の歯牙が咬合することによって保持され、
前記保定基板が保持されたとき前記受像部は口腔内に位置し、前記表示部は口腔外に位置する請求項１に記載の口腔内撮影補助具。
【請求項３】
前記保定基板は、前記受像部から所定の距離だけ放射線源に近い位置に前記表示部を支持する請求項１に記載の口腔内撮影補助具。
【請求項４】
前記表示部は、画像を表示する表示面を備え、前記表示面が放射線源方向及び前記受像部方向に向きうるように、前記保定基板に対して回転可能に取り付けられる請求項１から３のいずれか１項に記載の口腔内撮影補助具。
【請求項５】
前記保定基板の内部に設けられ、前記受像部に接続される第１ケーブルと、
前記保定基板の内部に設けられ、前記表示部に接続される第２ケーブルとをさらに備え、
前記受像部が出力した画像は、前記口腔内撮影補助具の外部に設けられた画像処理部に前記第１ケーブルを介して出力され、
前記第２ケーブルは、前記画像処理部により処理された画像を前記表示部に送信する請求項１から４のいずれか１項に記載の口腔内撮影補助具。
【請求項６】
前記受像部に向けて照射される放射線の線路の周囲であって、前記装着部と所定の距離だけ離間するように、前記支持部に取り付けられる案内部をさらに備える請求項１から６のいずれか１項に記載の口腔内撮影補助具。
【発明の詳細な説明】
【技術分野】
【０００１】
本発明は、撮影で得られた画像を表示可能な口腔内撮影補助具に関する。
【背景技術】
【０００２】
特許文献１は、Ｘ線装置を使った歯牙の撮影において使用される歯科用Ｘ線撮影具を提案する。歯科用Ｘ線撮影具は、平板状の保定基板と、Ｘ線受光体が装着される受光体装着部と、Ｘ線の照射方向を決めるために使用されるリング部とを備える。歯牙を撮影するとき、撮影者は、撮影対象歯牙の裏面にＸ線フィルムを設置し、撮影対象歯牙の表面からＸ線を照射する。そして、現像処理したＸ線フィルムを撮影者が参照する。Ｘ線受容体にＸ線撮像素子が取り付けられている場合、歯科用Ｘ線撮影具の外部に設置したパソコンのディスプレイに、Ｘ線撮像素子が出力した画像を表示する。
【特許文献１】特開２００４−１７４１６２号公報
【発明の概要】
【発明が解決しようとする課題】
【０００３】
このとき、Ｘ線フィルムあるいはディスプレイが撮影対象歯牙から離れて置かれているため、撮影者は、Ｘ線フィルムあるいはディスプレイへ撮影対象歯牙から視線を動かさなければならない。このため、撮影結果を迅速に確認することが出来ない。【０００４】
本発明はこれらの問題を鑑みてなされたものであり、撮影結果を迅速に確認することが可能な口腔内撮影補助具を得ることを目的とする。
【課題を解決するための手段】
【０００５】
本願発明による口腔内撮影補助具は、放射線により形成される被写体像を撮像して画像を出力する受像部と、受像部が出力した画像を表示する表示部と、受像部及び表示部を支持する保定基板とを備えることを特徴とする。【０００６】
これにより、撮影者は、表示部４０に表示された画像を見て撮影結果を確認することができる。パソコンのディスプレイに画像を表示した場合、かかる画像を見るためには、被験者の歯牙からディスプレイへと撮影者の観察方向を変える必要がある。通例、歯牙による保定基板１０の咬合位置やＸ線装置５０の位置などを調整しながら複数回に渡って撮影を行うため、観察方向を頻繁に変えることは撮影者にとって非常に煩わしい作業である。本実施形態によれば、撮影者は、観察方向を変えずに、被験者の歯牙がある領域と画像が表示された領域とを同時に見ることができるため、撮影結果を迅速に確認することが可能になる。【０００７】
保定基板は、撮影対象歯牙又は他の歯牙が咬合することによって保持され、保定基板が保持されたとき受像部は口腔内に位置し、表示部は口腔外に位置することが好ましい。【０００８】
また、保定基板は、受像部から所定の距離だけ放射線源に近い位置に表示部を支持することが好ましい。【０００９】
さらに、表示部は、画像を表示する表示面を備え、表示面が放射線源方向及び受像部方向に向きうるように、保定基板に対して回転可能に取り付けられることが望ましい。表示部の表示面を回転させることにより、表示面を撮影者が居るＸ線装置側に向けたり、被験者側に向けたりできるため、撮影者も被験者も容易に画像を観察することができる。保定基板を咬合した状態で何度も撮影を行う場合、被験者は大きく顔を動かすことが出来ないが、本願発明によれば、被験者は、大きく顔を動かすことなく撮影結果の画像を見ることができる。【００１０】
口腔内撮影補助具は、保定基板の内部に設けられて受像部に接続される第１ケーブルと、保定基板の内部に設けられて表示部に接続される第２ケーブルとをさらに備え、受像部が出力した画像は、口腔内撮影補助具の外部に設けられた画像処理部に第１ケーブルを介して出力され、第２ケーブルは、画像処理部により処理された画像を表示部に送信するように構成されても良い。保定基板の内部に設けられた第１、第２ケーブルを介して通信を行うため、ケーブルが被験者の口腔内と接触することを防止できる。【００１１】
口腔内撮影補助具は、受像部に向けて照射される放射線の線路の周囲であって、装着部と所定の距離だけ離間するように、支持部に取り付けられる案内部をさらに備えてもよい。
【発明の効果】
【００１２】
以上のように本発明によれば、撮影結果を迅速に確認することが可能な口腔内撮影補助具を得る。
【図面の簡単な説明】
【００１３】
【図１】第１の実施形態による口腔内撮影補助具の斜視図である。
【図２】口腔内撮影補助具、及びＸ線装置の側面図である。
【図３】第２の実施形態による口腔内撮影補助具の斜視図である。
【符号の説明】
【００１４】
１  口腔内撮影補助具
１０  保定基板
２０  受光体装着部
２５  Ｘ線受光体
３０  案内リング
４０  表示部
４１  表示面
５０  Ｘ線装置
５０ａ  Ｘ線照射口
【発明を実施するための形態】
【００１５】
以下、本実施形態における口腔内撮影補助具の構成について、図を用いて説明する。図１を参照すると、本実施形態に係る口腔内撮影補助具１は、保定基板１０、受光体装着部２０、Ｘ線受光体２５、案内リング３０、及び表示部４０を備える。受光体装着部２０及びＸ線受光体２５が受像部を構成し、案内リング３０が案内部を構成する。
【００１６】
保定基板１０は、厚さ方向から見ると一部分が切除された略Ｕ字形状を成す平板である。Ｕ字形状の一辺に受光体装着部２０が取り付けられ、その一辺と平行な辺に案内リングが取り付けられ、他辺に表示部４０が取り付けられる。
【００１７】
受光体装着部２０は、矩形の板状部材であって、保定基板１０に回転自在に取り付けられる。図示されない押さえバネにより、受光体装着部２０の上にＸ線受光体２５が取り付けられる。
【００１８】
Ｘ線受光体２５は、Ｘ線撮像素子であって、画像信号を出力する。保定基板１０の内部に設けられた第１ケーブル１１が、外部に設けられたパソコンの画像処理部とＸ線受光体２５とを接続する。パソコンは、第１ケーブル１１を介してＸ線受光体２５へ電力を供給する。Ｘ線受光体２５は、第１ケーブル１１を介して画像処理部へ画像信号を送信する。
【００１９】
案内リング３０は、受光体装着部２０側から見て縦長の略楕円形状を有し、保定基板１０を介して、受光体装着部２０と対向する位置に設けられる。受光体装着部２０と案内リング３０との距離は、人体の歯列の幅よりも長い距離であって、受像部を口腔内に挿入したときに案内部が口腔外に保持される程度の距離である。案内リング３０の内径は、後述するＸ線装置５０のＸ線照射口５０ａよりも大きい。案内リング３０の環内から受光体装着部２０までが、Ｘ線の線路となる。すなわち、案内リング３０は、Ｘ線の線路の周囲に設けられる。
【００２０】
表示部４０は、矩形の平板であって、その片面が表示面４１を成す。また、表示部４０は、保定基板１０に垂直な軸ＡＸ周りに回転可能となるように、保定基板１０から略直角に突出する。保定基板１０の内部に設けられた第２ケーブル１２が、パソコンの画像処理部と表示部４０とを接続する。パソコンは、第２ケーブル１２を介して表示部４０へ電力及び画像信号を送信する。画像信号に基づいた画像が表示面４１に表示される。
【００２１】
次に、図２を用いて口腔内撮影補助具１を用いて歯牙を撮影する手段について説明する。
【００２２】
撮影対象歯牙が奥歯であるとき、被験者は、保定基板１０におけるＵ字形状の凹部に被験者の口角が収まるように、口腔内撮影補助具１を咥える。
【００２３】
このとき、保定基板１０の一部及び受光体装着部２０が被験者の口腔内に挿入され、撮影対象歯牙Ｔの歯軸と保定基板１０とが垂直になるような状態で、保定基板１０が被験者の撮影対象歯牙Ｔ又は他の歯牙Ｕの咬合によって保持される。これにより、撮影対象歯牙Ｔの裏面にＸ線受光体２５が置かれる。
【００２４】
撮影者は、案内リング３０の環内にＸ線装置５０のＸ線照射口５０ａを挿入する。そして、Ｘ線の照射方向、撮影対象歯牙Ｔの位置、及びＸ線受光体２５の位置関係が二等分面撮影法に適したものとなるようにＸ線装置５０を保持する。つまり、案内リング３０は、Ｘ線照射口５０ａを位置決めするために使用され、二等分面撮影法に適した角度となるように保定基板１０に対する受光体装着部２０の角度が変えられる。そして、撮影者は、Ｘ線を照射して撮影を行う。
【００２５】
Ｘ線受光体２５から出力された画像信号は、第１ケーブル１１を介して、パソコンに送信され、パソコンの画像処理部で画像処理が施される。画像処理後の映像信号は、第２ケーブル１２を介して、表示部４０に送信され、かかる映像信号に基づく画像が表示部４０に表示される。
【００２６】
表示部４０は、被験者が口腔内撮影補助具１を咥えたとき、保定基板１０において被験者の口腔内に挿入されない部分に設けられる。撮影時には、表示面４１は、Ｘ線装置５０と対向するように配置される。これにより撮影者は、撮影対象歯牙Ｔを見ながら、表示部４０に表示される画像を観察できる。
【００２７】
他方、表示部４０を回転させて、表示面４１を被験者と対向するように配置することも可能である。このとき被験者は、表示部４０に表示される画像を観察できる。これにより、撮影者は、表示部４０に表示された画像を見て撮影結果を確認することができる。パソコンのディスプレイに画像を表示した場合、かかる画像を見るためには、被験者の歯牙からディスプレイへと撮影者の観察方向を変える必要がある。通例、歯牙Ｔ、Ｕによる保定基板１０の咬合位置やＸ線装置５０の位置などを調整しながら複数回に渡って撮影を行うため、視線の方向を頻繁に変えることは撮影者にとって非常に煩わしい作業である。本実施形態によれば、撮影者は、視線の方向を変えずに、被験者の歯牙と画像とを同時に見ることができるため、撮影結果を迅速に確認することが可能になる。
【００２８】
Ｘ線受光体２５とパソコンとの電気的な接続、及び表示部４０とパソコンとの電気的な接続は、保定基板１０の内部に設けられた第１、第２ケーブル１１、１２を介して行われるため、ケーブルが被験者の口腔内と接触してしまうことを防止できる。
【００２９】
また、回転により表示面４１を、撮影者が居る方向に向けたり、被験者側に向けたり出来るため、撮影により得られた画像を、撮影者も被験者も容易に観察することが可能になる。特に、撮影結果を見ながら、保定基板１０を咬合した状態で何度も撮影を行う場合、被験者は大きく顔を動かすことが出来ないが、本実施形態によれば、被験者が大きく顔を動かすことなく、撮影結果の画像を見ることが可能になる。
【００３０】
次に、図３を用いて第２の実施形態について説明する。第１の実施形態と同様の構成については同じ符号を付して説明を省略する。
【００３１】
本実施形態では、保定基板１０は、略Ｕ字形状でなく、切り欠きの無い矩形である。前歯を撮影するために用いられる。矩形の一辺に受光体装着部２０が取り付けられ、その一辺と平行な辺に案内リングが取り付けられ、他辺に表示部が取り付けられる。
【００３２】
撮影対象歯牙が前歯であるとき、被験者は、前歯の裏面がＸ線受光体２５の前面と対向するように口腔内撮影補助具１を咥える。そして、撮影者は、Ｘ線を照射して撮影を行う。
【００３３】
本実施形態によれば、保定基板１０が複雑な形状ではないため、製造が容易となる。
【００３４】
なお、いずれの実施形態においても、第１、第２ケーブル１１、１２は、保定基板１０の外部に設けられる形態であってもよい。
【００３５】
また、受光体装着部２０の内部を介して第１ケーブル１１が保定基板１０の内部に導かれてもよい。口腔内とケーブルとの接触を避けることができる。
【００３６】
案内リング３０は、真円形状であってもよい。
【００３７】
さらに、受光体装着部２０と一体となるようにＸ線受光体２５が構成されてもよい。
【００３８】
なお、Ｘ線受光体２５及び表示部４０への電力供給が、第１、第２ケーブル１１、１２を介してパソコンから行われる形態を説明したが、他の電源が電力を供給してもよい。例えば、保定基板１０上に設けられた電池が電力を供給してもよい。この場合、Ｘ線受光体２５からパソコンの画像信号の送信、パソコンからＸ線受光体２５への制御信号の送信、パソコンから表示部４０への制御信号や映像信号の送信は、第１、第２ケーブル１１、１２を介さずに、Ｂｌｕｅｔｏｏｔｈなどの無線通信によって行われても良い。
【００３９】
また、パソコンの画像処理部がＸ線受光体で得られた画像信号に画像処理を施す形態を説明したが、保定基板１０にＤＳＰなどの画像処理部を設けて、口腔内撮影補助具１内で、撮影と画像処理と表示とを完結させる形態であっても良い。
【００４０】
なお、撮影対象歯牙などによる保定基板１０の咬合は、図２で示すように撮影対象歯牙などが保定基板１０に直接接触した状態で行われる形態であってもよいし、高さ調節などのための部材を間に挟んだ状態で行われてもよい。
【００４１】
ここに付随する図面を参照して本発明の複数の実施形態が説明されたが、記載された発明の範囲と精神から逸脱することなく、変形が各部の構造と関係に施されることは、当業者にとって自明である。
【図１】
2010140491.tif 000003
【図２】
2010140491.tif 000004
【図３】
2010140491.tif 000005
【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
放射線により形成される被写体像を撮像して画像信号を出力する受像部と、
前記受像部が出力した画像信号に基づいて画像を表示する表示部と、
前記受像部及び表示部を支持する保定基板とを備え、
前記保定基板は、撮影対象歯牙又は他の歯牙が咬合することによって保持され、
前記保定基板が保持されたとき前記受像部は口腔内に位置し、前記表示部は口腔外に位置する口腔内撮影補助具。
【請求項２】
（削除）
【請求項３】
前記保定基板は、前記受像部から所定の距離だけ放射線源に近い位置に前記表示部を支持する請求項１に記載の口腔内撮影補助具。
【請求項４】
前記表示部は、画像を表示する表示面を備え、前記表示面が放射線源方向及び前記受像部方向に向きうるように、前記保定基板に対して回転可能に取り付けられる請求項１に記載の口腔内撮影補助具。
【請求項５】
前記保定基板の内部に設けられ、前記受像部に接続される第１ケーブルと、
前記保定基板の内部に設けられ、前記表示部に接続される第２ケーブルとをさらに備え、
前記受像部が出力した画像は、前記口腔内撮影補助具の外部に設けられた画像処理部に前記第１ケーブルを介して出力され、
前記第２ケーブルは、前記画像処理部により処理された画像を前記表示部に送信する請求項１に記載の口腔内撮影補助具。
【請求項６】
前記受像部に向けて照射される放射線の線路の周囲であって、前記受像部と所定の距離だけ離間するように、前記保定基板に取り付けられる案内部をさらに備える請求項１に記載の口腔内撮影補助具。
【国際調査報告】
2010140491.tif 000006
2010140491.tif 000007
2010140491.tif 000008
2010140491.tif 000009
2010140491.tif 000010
2010140491.tif 000011
2010140491.tif 000012
2010140491.tif 000013